(57)【特許請求の範囲】
【請求項１】
矩形枠状の枠体と、
前記枠体の内側を通過する風量に応じて変位する事で屋内側に流入する風量を調整する風量調整部材と、
回動可能に支持され、前記枠体の屋内側の開口部を開閉可能とする開閉扉と、
を備えた換気装置であって、
前記開閉扉と前記枠体との間に、前記開閉扉の開度を調節する為の開度調節装置が設けられており、
前記開度調節装置は、前記開閉扉に設けられたストッパ部材と、前記開閉扉と前記枠体との間に架け渡される状態で設けられたスイングアームとを有しており、
前記ストッパ部材は、互いに近づく方向に付勢された１対の挟持片と、これら両挟持片の互いに対向する側辺同士の間に形成され奥側端部が閉じた形状を有するスライド溝とを有しており、前記両挟持片のうち少なくとも一方の挟持片の前記スライド溝を構成する側辺に係合部が設けられており、
前記両挟持片のうち、屋外側に設けられた片方の挟持片が、前記開閉扉に固定されて動かない不動側挟持片であり、屋内側に設けられた他方の挟持片が、前記片方の挟持片に対し遠近動可能に支持された可動側挟持片であり、
前記スイングアームは、基端部が前記枠体に対し回動可能に支持されており、先端部が前記両挟持片により弾性的に挟持された状態で前記スライド溝内を前記開閉扉の開度に応じて移動する
事を特徴とする換気装置。
【請求項２】
前記可動側挟持片が、基端部を回動ピンにより回動可能に支持されている、請求項１に記載した換気装置。
【請求項３】
矩形枠状の枠体と、
前記枠体の内側を通過する風量に応じて変位する事で屋内側に流入する風量を調整する風量調整部材と、
回動可能に支持され、前記枠体の屋内側の開口部を開閉可能とする開閉扉と、
を備えた換気装置であって、
前記開閉扉と前記枠体との間に、前記開閉扉の開度を調節する為の開度調節装置が設けられており、
前記開度調節装置は、前記開閉扉に設けられたストッパ部材と、前記開閉扉と前記枠体との間に架け渡される状態で設けられたスイングアームとを有しており、
前記ストッパ部材は、互いに近づく方向に付勢された１対の挟持片と、これら両挟持片の互いに対向する側辺同士の間に形成され奥側端部が閉じた形状を有するスライド溝とを有しており、前記両挟持片のうち少なくとも一方の挟持片の前記スライド溝を構成する側辺に係合部が設けられており、
前記スライド溝の開口側端部を構成する前記挟持片の先端部側辺に、該挟持片の先端側に向かう程前記スライド溝の開口幅を大きくする方向に傾斜したガイド傾斜部が設けられており、
前記スイングアームは、基端部が前記枠体に対し回動可能に支持されており、先端部が前記両挟持片により弾性的に挟持された状態で前記スライド溝内を前記開閉扉の開度に応じて移動する
事を特徴とする換気装置。
【請求項４】
前記係合部が、前記スライド溝の幅寸法を大きくする方向に凹んだ係合凹部である、請求項１〜３のうち何れか１項に記載した換気装置。
【発明の詳細な説明】
【技術分野】
【０００１】
本発明は、住宅やビル等の建物に設置され、窓を開口せずに室内を自然換気する為の換気装置の改良に関する。
【背景技術】
【０００２】
従来から、室内の換気を行う為に、窓を開口する事が行われている。又、室内に流入する風量を調節する為に、窓の開口量（開口幅）を調整する事が行われている。但し、この様な一般的な換気方法は、室内にいる居住者等が窓の開閉作業を繰り返し行わなければならない場合があると共に、防犯性や安全性の面から不利になる。
【０００３】
図２１は、窓を開口せずに室内の換気を行いたいとの要望に応えるべく考えられた、特許文献１に記載された従来構造の換気装置１を示している。この換気装置１は、窓装置２の側方に隣接する状態で設けられており、枠体３と、風量調整部材である羽部材４と、開閉扉５とを備える。このうちの枠体３は、矩形枠状に構成されており、その内側に風を通過させる為の通路６を有している。又、前記羽部材４は、垂直方向に配置された軸部７と、該軸部７から径方向外方に向かって延びた１対の羽根８、８とを備えており、該軸部７を、前記枠体３を構成する上枠及び下枠に回転可能に支持している。又、前記開閉扉５は、前記枠体３の屋内側の開口部を開閉可能とするものであり、鉛直方向に配置された枢軸により回動可能に支持されている。
【０００４】
上述の様な構成を有する従来構造の換気装置１により、室内の換気を行うには、前記開閉扉５を屋内側に向けて回動させる。これにより、隣接して設けられた前記窓装置２を構成する窓を開口しなくても、室外空間９から室内空間１０に外気を導入する（給気する）事が可能になると共に、反対に、室内空間１０の空気を室外空間９に排出する（排気する）事も可能になる。更に、従来構造の換気装置１によれば、この室外空間９で強い風（風速の速い風）が吹いている様な場合に、前記羽部材４を回転させつつ上昇させる事により、この羽部材４と前記枠体３を構成する縦枠の内側面との間の隙間を狭め、前記室内空間１０に流入する風量を少なく抑える事ができる。
【０００５】
但し、上述の様な従来構造の換気装置１の場合には、前記開閉扉５の開度（開き角度）を維持する為の機構を備えていない為、室外空間９から室内空間１０に導入される外気や、室内空間１０から室外空間９へと排出される空気などにより、前記開閉扉５の開度が変化する可能性がある。又、最悪の場合に、前記開閉扉５が勢い良く開いてしまい、該開閉扉５に設けられたハンドル１１が、隣接した窓装置２を構成するガラス１２などに衝突する可能性がある。
【先行技術文献】
【特許文献】
【０００６】
【特許文献１】特開２００３−２８７２４９号公報
【発明の概要】
【発明が解決しようとする課題】
【０００７】
本発明は、上述の様な事情に鑑み、開閉扉の開度が不用意に変化する事を防止できると共に、開閉扉の開度が必要以上に過大になる事を防止できる、換気装置の構造を実現すべく発明したものである。
【課題を解決するための手段】
【０００８】
本発明の換気装置は、枠体と、風量調整部材と、開閉扉とを備える。
このうちの枠体は、矩形枠状で、例えば上枠と下枠と１対の縦枠とを組み合わせる事により構成されている。
又、前記風量調整部材は、前記枠体の内側を通過する風量に応じて変位する事で、屋内側（室内側）に流入する風量を調整するものであり、例えば羽部材や弁などが相当する。
又、前記開閉扉は、例えば前記枠体に対し回動可能に支持され、該枠体の屋内側の開口部を開閉可能とするものである。
【０００９】
特に本発明の場合には、前記開閉扉と前記枠体との間に、前記開閉扉の開度を調節する為の開度調節装置を設けている。
前記開度調節装置は、例えば前記開閉扉の上端部に設けられたストッパ部材と、例えば前記開閉扉の上端部と前記枠体を構成する上枠との間に架け渡される状態で設けられたスイングアームとを有している。
前記ストッパ部材は、互いに近づく方向に付勢された１対の挟持片と、これら両挟持片の互いに対向する側辺同士の間に形成され奥側端部が閉じた形状を有するスライド溝とを有している。
又、前記両挟持片のうち少なくとも一方の挟持片の前記スライド溝を構成する側辺に、１乃至複数の係合部（係合凹部や係合凸部など）を設けている。
又、前記スイングアームは、その基端部が前記枠体に対し回動可能に支持されており、その先端部が、前記両挟持片により弾性的に挟持された状態で、前記スライド溝内を前記開閉扉の開度に応じて移動する。
【００１０】
又、本発明の第１態様では、前記両挟持片のうち、屋外側に設けられた片方の挟持片を、前記開閉扉に固定されて動かない不動側挟持片とし、屋内側に設けられた他方の挟持片を、前記片方の挟持片に対し遠近動可能（例えば回動可能、平行移動可能など）に支持した可動側挟持片とする。
【００１１】
又、本発明を実施する場合には、前記可動側挟持片を、その基端部を回動ピンにより回動可能に支持した構成を採用する事ができる。
【００１２】
又、本発明の第２態様では、前記スライド溝の開口側端部を構成する前記挟持片の先端部側辺に、該挟持片の先端側に向かう程前記スライド溝の開口幅を大きくする方向に傾斜したガイド傾斜部を設ける。
【００１３】
更に、本発明を実施する場合には、前記係合部を、前記スライド溝の幅方向を大きくする方向に凹んだ係合凹部とする事ができる。
【発明の効果】
【００１４】
以上の様な構成を有する本発明の換気装置によれば、開閉扉の開度が不用意に変化する事を防止できると共に、開閉扉の開度が必要以上に過大になる事を防止できる。
即ち、本発明の場合には、枠体に対し基端部を回動可能に支持したスイングアームの先端部を、開閉扉に設けたストッパ部材のスライド溝内に、該開閉扉の開度に応じた移動を可能に進入させると共に、該スライド溝を、互いに近づく方向に付勢された１対の挟持片の側辺同士の間部分に形成し、且つ、該スライド溝を構成する挟持片の側辺に係合部を形成している。
この為、前記開閉扉を所定の開度に開いた状態で、前記係合部を前記スイングアームの先端部に対し付勢しつつ（テンションを加えつつ）係合させる事ができる。従って、前記開閉扉の開度を維持する事が可能になり、前記開閉扉の開度が不用意に変化する事を防止できる。
更に、本発明の場合には、前記スライド溝の奥側端部を閉じた形状としている為、前記スイングアームの先端部を該スライド溝の奥側端部に突き当てる事で、前記開閉扉がそれ以上開く事を防止できる。この為、前記開閉扉の開度が必要以上に大きくなる事を防止できる。
【００１５】
又、本発明の第１態様では、前記開閉扉を開閉する際に前記スイングアームの先端部を、不動側挟持片により支承する事ができる。この為、スイングアームの先端部が不動側挟持片に案内されるので、スライド溝内をスムーズに移動する事ができる。
又、前記可動側挟持片の基端部を回動ピンにより回動可能に支持する構成を採用すれば、前記ストッパ部材を、部品点数の少ない簡易な構成により実現できる。
又、本発明の第２態様では、前記スイングアームの先端部を前記スライド溝内に進入させ易くする事ができる。
又、前記係合部を、前記スライド溝の幅寸法を大きくする方向に凹んだ係合凹部とすれば、前記開閉扉の開度を一時的に維持する事ができる。
【図面の簡単な説明】
【００１６】
【図１】本発明の実施の形態の１例を示す、換気装置を組み込んだ窓装置を屋内側から見た正面図。
【図２】同じく屋外側から見た正面図。
【図３】同じく換気装置のみを取り出して示す正面図。
【図４】同じく図３のＡ−Ａ横断面図。
【図５】同じく図３のＢ−Ｂ縦断面図。
【図６】同じくハンドル操作に伴いロックピンがピン受部に対して上下方向にスライドする状態を説明する為の正面図。
【図７】同じくストッパ部材を取り出して示す正面図（Ａ）及び下面図（Ｂ）。
【図８】同じくストッパ部材を構成する不動側挟持片を取り出して示す、正面図（Ａ）、右側面図（Ｂ）、左側面図（Ｃ）及び下面図（Ｄ）。
【図９】同じくストッパ部材を構成する可動側挟持片を取り出して示す、正面図（Ａ）、右側面図（Ｂ）及び下面図（Ｃ）。
【図１０】同じくスイングアーム及び取付ブラケット（の組立品）を取り出して示す、正面図（Ａ）、左側面図（Ｂ）及び下面図（Ｃ）。
【図１１】同じく開閉扉を閉じた状態で示す、図３のＣ−Ｃ横断面図。
【図１２】同じく開閉扉を開度維持位置まで開いた状態で示す、図１１と同様の図。
【図１３】同じく開閉扉を開度限界位置まで開いた状態で示す、図１１と同様の図。
【図１４】同じく風量調整弁を取り出して示す端面図。
【図１５】同じく受具を取り出して示す端面図。
【図１６】同じく摺動部材を取り出して示す、端面図（Ａ）及び側面図（Ｂ）。
【図１７】同じく板ばねを取り出して示す、端面図（Ａ）及び側面図（Ｂ）。
【図１８】同じくフィルタを取り出して示す正面図（Ａ）、及び、フィルタを構成する枠体の端面図（Ｂ）。
【図１９】変形例を示す、図１７に相当する図。
【図２０】同じく一部を省略して示す、図４に相当する横断面図。
【図２１】従来構造の換気装置を示す横断面図。
【発明を実施するための形態】
【００１７】
［実施の形態の１例］
図１〜１８は、本発明の実施の形態の１例を示している。本例の換気装置１ａは、窓装置２ａと一体的に設けられており、この窓装置２ａを構成する窓枠１３に固定された枠体３ａを備える。この枠体３ａは、水平方向に配置されて上辺を構成する上枠１４と、同じく水平方向に配置されて下辺を構成する下枠１５と、鉛直方向に配置されて左右の縦辺を構成する１対の縦枠１６ａ、１６ｂとから成り、これら各枠１４〜１６ｂのそれぞれの端部を連結する事により矩形枠状に構成されている。これら各枠１４〜１６ｂは何れも、アルミニウム合金の一体押し出し成型材製である。尚、前記両縦枠１６ａ、１６ｂのうち、一方の縦枠１６ｂは、前記窓枠１３の縦枠としても機能し、他方の縦枠１６ａは、この窓枠１３の方立としても機能する。
【００１８】
前記枠体３ａの屋外側端部には、この枠体３ａの内側空間１７を、一部（屋外側通風口２０）を除いて外部空間から覆う、外板カバー１８が設けられている。この外板カバー１８は、アルミニウム合金の一体押し出し成形材製で、断面略Ｌ字形に造られており、前記一方の縦枠１６ｂの内側面に複数本のボルト１９により固定されている。そして、この様に前記外板カバー１８を固定した状態で、この外板カバー１８と他方の縦枠１６ａの内側面との間に、上下方向（鉛直方向）に長い屋外側通風口２０を形成している。尚、本例の場合には、前記外板カバー１８を、前記枠体３ａ（縦枠１６ｂ）と別体としているが、一体に設ける事もできる。
【００１９】
これに対し、前記枠体３ａの屋内側端部には、該枠体３ａの屋内側の開口部に相当する前記内側空間１７の屋内側開口２１を開閉可能とする、開閉扉５ａが設けられている。この開閉扉５ａは、その幅方向一端部（図１、３、４、１１〜１３の右端部）を前記一方の縦枠１６ｂの屋内側端部に回動可能に支持されている。又、この開閉扉５ａの幅方向他端部（図１、３、４、１１〜１３の左端部）の上下方向中間部にはハンドル１１ａが設けられており、このハンドル１１ａの操作に伴い、図６に示した様に、リンク機構を介して、ロックピン２２を上下方向にスライド移動させる事ができる。そして、このロックピン２２と、前記他方の縦枠１６ａの屋内側端部に固定されたピン受部２３との上下方向位置を一致させる事で、前記開閉扉５ａを閉じる事ができ、上下方向位置をずらす事で、この開閉扉５ａを開く事ができる。又、図示の構造の場合には、前記開閉扉５ａを閉じた際に、該開閉扉５ａの屋外側面の外周側部分と前記枠体３ａとの間部分の気密性をパッキン２４により確保している。
【００２０】
特に本例の場合には、前記開閉扉５ａの開度が、不用意に変化する事及び必要以上に過大になる事を防止する為に、前記開閉扉５ａの上端部と前記上枠１４との間に、開度調節装置２５を設けている。この開度調節装置２５は、ストッパ部材２６と、スイングアーム２７とを有している。
【００２１】
このうちのストッパ部材２６は、図７に示す様に、不動側挟持片２８と、可動側挟持片２９とを有しており、前記開閉扉５ａの上端部に上側キャップ部材３０を介して固定されている。前記不動側挟持片２８は、図８に示す様に、全体を略Ｌ字形に構成しており、取付基部３１と不動側挟持腕部３２とを有している。前記取付基部３１は、略矩形板状に構成されており、板厚方向に貫通する状態で、取付孔３３と、支持孔３４と、係合孔３５とがそれぞれ形成されている。そして、このうちの取付孔３３を挿通したボルト３６により、前記上側キャップ部材３０の上面にねじ止め固定されている。これに対し、前記不動側挟持腕部３２は、前記取付基部３１のうち、前記開閉扉５ａの幅方向に関して一端側｛図７の左側、図８の（Ａ）の左側｝の端部で且つ屋外側端部から、直線状（開閉扉５ａの幅方向一端側）に延出する状態で設けられている。
【００２２】
これに対し、前記可動側挟持片２９は、図９に示す様に、全体を略Ｌ字形に構成しており、回動基板部３７と可動側挟持腕部３８とを有している。このうちの回動基板部３７は、略矩形板状に構成されており、略中央部に板厚方向に貫通する状態で、回動中心孔３９が形成されている。そして、前記不動側挟持片２８を構成する取付基部３１上に前記回動基部３７を重ね合わせた状態で、前記回動中心孔３９と前記支持孔３４とに回動ピン４０を挿通し、該回動ピン４０の先端部にナット４１を螺合している。これにより、前記可動側挟持片２９を前記不動側挟持片２８に対し回動可能に支持している。又、前記可動側挟持腕部３８は、前記回動基板部３７のうち、前記開閉扉５ａの幅方向に関して一端側｛図７の左側、図９の（Ａ）の左側｝の端部で且つ屋内側半部から、斜めに延出する状態で設けられている。より具体的には、前記可動側挟持腕部３８は、先端側に向かう程前記不動側挟持腕部３２に近づく方向に例えば５〜３０度程度傾斜している。
【００２３】
又、本例の場合には、前記不動側挟持片２８と前記可動側挟持片２９との間に、コイルばねである付勢ばね４２を設ける事で、前記可動側挟持腕部３８を前記不動側挟持腕部３２に向けて近づく方向に付勢している。前記付勢ばね４２は、コイル部４３と、該コイル部４３の両端部から延出した１対の腕部４４ａ、４４ｂとを備えている。そして、このうちのコイル部４３を、前記回動ピン４０の周囲に配置した状態で、一方の腕部４４ａを、前記不動側挟持片２８の取付基部３１に形成された前記係合孔３５に係止し、他方の腕部４４ｂを、前記可動側挟持腕部３８のうち前記不動側挟持腕部３２から遠い側の側辺に形成した係止凹部４５に係止している。これにより、前記可動側挟持腕部３８を前記不動側挟持腕部３２に向けて付勢している。
【００２４】
又、本例の場合、前記不動側挟持腕部３２と前記可動側挟持腕部３８との互いに対向する側辺同士の間に、スライド溝４６を形成している。この為、該スライド溝４６は、前記開閉扉５ａの幅方向に長く形成されており、その幅方向両側縁が、前記不動側挟持腕部３２の屋内側側辺と前記可動側挟持腕部３８の屋外側側辺とにより構成されている。又、前記スライド溝４６の奥側部分（開閉扉５ａの幅方向に関して他端側部分）には、前記不動側挟持片２８を構成する取付基部３１が設けられている。この為、前記スライド溝４６は、奥側端部が閉じた形状となっており、この奥側端部を構成する前記取付基部３１の端面をストッパ面４７としている。
【００２５】
又、前記可動側挟持腕部３８の屋外側側辺のうち、前記スライド溝４６の開口側端部を構成する先端部にガイド傾斜部４８を形成しており、中間部に係合凹部４９を形成している。このうちのガイド傾斜部４８は、前記可動側挟持腕部３８の先端側に向かう程前記スライド溝４６の開口幅を大きくする方向（不動側挟持腕部３２から離れる方向）に傾斜している。又、前記係合凹部４９は、前記スライド溝４６の幅寸法を大きくする方向に凹んでいる。尚、この係合凹部４９の曲率半径は、後述する前記スイングアーム２７の先端部を構成する係合ピン５６（被挟持軸部５７）の外周面の曲率半径よりも少しだけ大きく設定されている。
【００２６】
一方、上述の様な構成を有するストッパ部材２６と共に前記開度調節装置２５を構成する前記スイングアーム２７は、図１０に示す様に、直線状のアーム本体５０と、該アーム本体５０の両端部に設けられた円環状の支持環部５１ａ、５１ｂとを備えている。そして、前記スイングアーム２７の基端部に設けられた支持環部５１ａを、取付ブラケット５２を介して、前記枠体３ａを構成する上枠１４に回動可能に支持している。該取付ブラケット５２は、前記上枠１４に対し１対のボルト５３、５３によりねじ止め固定されており、屋内側に向けて折れ曲がった張出板部５４が設けられている。本例の場合には、該張出板部５４に対し、前記スイングアーム２７の基端部に設けられた支持環部５１ａを枢支ピン５５により回動可能に支持している。
【００２７】
又、前記スイングアーム２７の先端部に設けられた支持環部５１ｂには、段付軸である係合ピン５６が固定されている。該係合ピン５６のうち、前記支持環部５１ｂの下方から突出した部分には、円柱状の被挟持軸部５７と、該被挟持軸部５７の上下両側に設けられ、該被挟持軸部５７よりも直径の大きくなった１対のガイド部５８ａ、５８ｂとが設けられている。そして、本例の場合には、この様な構成を有する前記係合ピン５６を、前記スライド溝４６内に、前記開閉扉５ａの開度に応じた往復移動を可能に挿入している。つまり、前記係合ピン５６は、前記開閉扉５ａを閉じると前記スライド溝４６の開口側に向けて移動し、前記開閉扉５ａを開くと前記スライド溝４６の奥側に向けて移動する。又、前記係合ピン５６のうち、前記被挟持軸部５７は、前記不動側挟持腕部３２の屋内側側辺と前記可動側挟持腕部３８の屋外側側辺とにより弾性的に挟持される部分であり、前記両ガイド部５８ａ、５８ｂは、これら両挟持腕部３２、３８の上下両側に位置している。又、これら両ガイド部５８ａ、５８ｂのうち、下方に設けられたガイド部５８ｂは、前記上側キャップ部材３０の上面に形成された凹溝５９内に進入している。
【００２８】
次に、以上の様な構成を有する前記開度調節装置２５の動作に就いて、図１１〜１３を参照しつつ説明する。
図１１に示した様に、前記開閉扉５ａを閉鎖位置に移動させた状態（開度ゼロの状態）では、前記スイングアーム２７の先端部に設けられた係合ピン５６は、前記スライド溝４６の開口側端部に位置している。より具体的には、前記係合ピン５６は、前記不動側挟持腕部３２の屋内側側辺の先端部と前記可動側挟持腕部３８のガイド傾斜部４８との間に位置している。又、この状態で、前記スイングアーム２７は、前記取付ブラケット５２と平行に配置されている。そして、この様な閉鎖位置から前記開閉扉５ａの開度を大きくしていくと、前記スイングアーム２７の先端部に設けられた係合ピン５６は、前記スライド溝４６内を開口側端部から奥側に向けて移動し始める。この際、前記係合ピン５６（被挟持軸部５７）は、直線状に形成された前記不動側挟持腕部３２の屋内側辺に沿って（案内されて）奥側へと移動する。又、前記係合ピン５６（被挟持軸部５７）と前記可動側挟持腕部３８のガイド傾斜部４８との当接に基づき、前記可動側挟持片２９を、図１１に実線で示す状態から二点鎖線で示す状態に、前記付勢ばね４２の弾力に抗して回動させ、前記スライド溝４６を押し広げる。尚、本例の場合には、前記可動側挟持腕部３８の屋外側側辺の先端部に前記ガイド傾斜部４８を設けている為、前記可動側挟持片２９をスムーズに回動させて、前記係合ピン５６を前記スライド溝４６の奥側へと容易に進入させる事ができる。
【００２９】
そして、前記開閉扉５ａの開度が大きくなり、前記係合ピン５６が前記ガイド傾斜部４８よりも奥側に移動して開閉扉５ａが約３０度開くと、図１２に示した様に、前記係合ピン５６（被挟持軸部５７）と前記可動側挟持腕部３８の屋外側側辺に形成された係合凹部４９とが係合する。本例の場合、前記付勢ばね４２によって、前記可動側挟持腕部３８が前記不動側挟持腕部３２に近づく方向に付勢されている為、前記係合ピン５６と前記係合凹部４９との係合は自動的に且つ確実に行われる。そして、この様に、前記係合ピン５６と前記係合凹部４９とが係合した状態では、この係合状態を解く程の大きな力を付与しない限り、前記開閉扉５ａの開度は変化しなくなり、該開閉扉５ａは開度維持位置に保持される。又、本例の場合には、前記係合凹部４９を前記可動側挟持腕部３８に形成している為、前記係合ピン５６と前記係合凹部４９との係合状態が切り替わる際にも、前記可動側挟持腕部３８が回動するだけである為、係合状態が切り替わる際に衝撃（ショック）が発生する事を抑制できる。
【００３０】
又、前記係合状態を解き、開閉扉５ａの開度を更に大きくしていくと、図１３に示した様に、前記係合ピン５６（被挟持軸部５７）が、前記スライド溝４６の奥側端部に設けられたストッパ面４７に突き当たる。これにより、前記開閉扉５ａは、この開度限界位置からそれ以上開く事が阻止される。尚、本例の場合、開閉扉５ａは約６０度まで開くように開度が設定されているので、縦枠１６ｂ側に入隅の室内壁（図示なし）が設けられていても、開閉扉５ａ（ハンドル１１ａを含む）が室内壁に衝突する事がない。
【００３１】
次に、本例の換気装置１ａのうち、前記開閉扉５ａ以外の特徴部分に就いて説明する。本例の場合、前記枠体３ａの屋内外方向中間部に、前記内側空間１７を屋外側空間６０と屋内側空間６１とに仕切る（二分する）、仕切り壁６２が設けられている。この仕切り壁６２は、それぞれが略同一仮想平面上に存在する、前記上枠１４の下面のうちの屋内外方向中間部に設けられた垂下壁部６３と、前記下枠１５の上面のうちの屋内外方向中間部に設けられた図示しない起立壁部と、前記両縦枠１６ａ、１６ｂの互いに対向する内側面のうち、それぞれの屋内外方向中間部に設けられた左右１対の側壁部６４ａ、６４ｂと、このうちの一方（図４の左側）の側壁部６４ａに固定された受具６５とから構成されている。又、この様に構成される前記仕切り壁６２には、前記屋外側空間６０と前記屋内側空間６１とを連通させる、上下方向に長い長方形状の開口部６６が設けられている。この開口部６６は、前記垂下壁部６３の下端縁、前記起立壁部の上端縁、前記受具６５の先端縁（係合板部７０ａの内側面）、及び、他方の側壁部６４ｂの先端縁（係合板部７０ｂの内側面）の内側に形成されている。又、前記各壁部６３〜６４ａの屋内側面の先端部、及び、前記他方の側壁部６４ｂの屋内側面の幅方向中間部には、それぞれ条溝６７ａ〜６７ｃが矩形環状に連続する状態で設けられている。そして、これら条溝６７ａ〜６７ｃ内には、前記開口部６６を囲む様に、矩形環状のパッキン６８が保持されている。又、前記他方の側壁部６４ｂの屋内側面の先端部には、屋内側に直角に折れ曲がると共に、外側面に突起６９を有する係合板部７０ｂが設けられている。
【００３２】
又、前記屋外側空間６０のうち、前記屋外側通風口２０の屋内側に隣接する部分には、この屋外側通風口２０から導入された風の進行方向を、前記開口部６６（後述する風量調整弁７４）に向けて滑らかに変更する為の導風部材７１が設けられている。この導風部材７１は、アルミニウム合金の一体押し出し成形材製であり、凹円弧形に湾曲した湾曲面部７２を有し、前記両縦枠１６ａ、１６ｂのうちの他方の縦枠１６ａの内側面に複数本のボルト７３により固定されている。尚、本例の場合には、前記導風部材７１を、前記枠体３ａ（縦枠１６ａ）と別体としているが、一体に設ける事もできる。
【００３３】
又、前記屋外側空間６０のうち、前記開口部６６の屋外側に隣接する部分には、この開口部６６を通過し、前記室内空間１０ａに導入される風量を調整する為の風量調整弁７４が設けられている。この風量調整弁７４は、アルミニウム合金の一体押し出し成形材製であり、その幅寸法及び全長（上下方向寸法）が、前記開口部６６の幅寸法及び上下方向寸法よりもそれぞれ僅かに大きい。又、前記風量調整弁７４は、図１４に示す様に、弁本体７５と、回動基部７６とを有する。このうちの弁本体７５は、全体形状を台形筒状（中空状）に形成されており、屋内側見付け壁７７と、屋外側見付け壁７８と、基端側見込み壁７９と、先端側見込み壁８０とから構成されている。本例の場合、これら屋内側、屋外側両見付け壁７７、７８同士の間隔が、幅方向に関して前記基端側見込み壁７９から離れる程（先端側見込み壁８０に近づく程）大きくなる様に、前記屋外側見付け壁７８を前記屋内側見付け壁７７に対して傾斜（図示の例では５°程度傾斜）させている。これにより、前記屋外側通風口２０を通じて導入され、前記導風部材７１により風向きを変更された風を、前記屋外側見付け壁７８の外面によって効率良く受けられる様にしている。又、前記基端側見込み壁７９の肉厚寸法を、前記屋内側、屋外側両見付け壁７７、７８及び前記先端側見込み壁８０の肉厚寸法よりも大きくして、前記回動基部７６との連続部の剛性を高めている。又、この回動基部７６は、前記弁本体７５の幅方向片側面を構成する前記基端側見込み壁７９の外面から幅方向に突出する状態で設けられており、張出板部８１と、この張出板部８１の先端部に設けられた、断面円形状で全体を略円柱状とした軸部８２とを備える。
【００３４】
上述した様な構成を有する前記風量調整弁７４は、前記枠本３ａとは別体で、且つ、前記仕切り壁６２の一部を構成する受具６５に対し、回動（スイング）可能に支持されている。この受具６５は、アルミニウム合金の一体押し出し成形材製で、図１５に示す様に、前記一方の側壁部６４ａの延長上に設けられた基板部８３と、この基板部８３の屋内側面の先端部から屋内側に直角に折れ曲がると共に、外側面に突起６９を有する係合板部７０ａと、前記基板部８３の屋内側面の中間部から屋内側に突出する状態で設けられた突き当て板部８４と、この基板部８３の屋外側面の中間部から屋外側に突出すると共に、この基板部８３の先端側に折れ曲がる状態で設けられた、断面略コ字形の受部本体８５とを有する。又、この受部本体８５の内側面には、断面略円弧状の受凹部８６が形成されている。そして、前記基板部８３のうちの基半部の屋内側面を、前記一方の側壁部６４ａの屋外側面に当接させると共に、前記突き当て板部８４をこの側壁部６４ａの先端面（条溝６７ｃの側面）に突き当てた状態で、それぞれの頭部を前記条溝６７ｃ内に配置した複数本の取付ボルト８７により、前記受具６５を前記一方の側壁部６４ａに対して屋内側から着脱可能に取り付けている。尚、この様に、受具６５を取り付けた状態で、前記受部本体８５は、前記屋外側空間６０内に配置され、前記係合板部７０ａ及び前記突き当て板部８４は、前記屋内側空間６１に配置される。
【００３５】
そして、本例の場合には、前記受部本体８５に形成された受凹部８６の内側に、前記回動基部７６を構成する軸部８２を、図１６に示した様な、複数個の摺動部材８８を介して、がたつきなく挿入している。これら各摺動部材８８は、ポリアミド樹脂や６６ナイロン等の摺動性の高い合成樹脂から造られており、断面略Ｃ字形で、全体を略円筒状に形成されている。本例の場合には、この様な構成を有する前記各摺動部材８８を、前記受凹部８６と前記軸部８２との間に、上下方向に離隔した状態で複数個（例えば上下２個所に）設けている。そして、この様に、前記受凹部８６の内側に前記軸部８２を挿入した状態で、前記風量調整弁７４を構成する前記回動基部７６が、前記仕切り壁６２を構成する前記受具６５に対し回動可能に支持された状態となる。又、本例の場合には、前記軸部８２の外周面が前記受凹部８６の内周面に対して直接接触（金属接触）する事がない為、前記風量調整弁７４の回動抵抗は十分に低く抑えられる。又、本例の場合、この風量調整弁７４の回動限界は、この風量調整弁７４と他の部材との接触により図られている。具体的には、この風量調整弁７４の前記開口部６６から離れる方向（開弁方向、図４の反時計回り）への回動限界位置は、前記受部本体８５の開口部と前記回動基部７６を構成する張出板部８１との当接によって規制される。これに対し、前記風量調整弁７４の前記開口部６６に近づく方向（閉弁方向、図４の時計回り）への回動限界位置は、前記屋内側見付け壁７７の外面（屋内側面）と、前記仕切り壁６２を構成する他方の側壁部６４ｂの屋外側面との当接によって規制される。
【００３６】
本例の場合には、上述の様な構成を有する前記風量調整弁７４のうち、上下方向中間部に、付勢部材である板ばね８９を固定している。この板ばね８９は、この風量調整弁７４が閉弁方向に回動する事に対し弾性的な反力を付与する（開弁方向に押圧する）もので、ステンレスのばね鋼等の金属板又はポリカーボネート、ポリエーテルエーテルケトン、ポリアセタール等の合成樹脂から造られている。又、前記板ばね８９は、断面略Ｎ字形で、基部である取付板部９０と、この取付板部９０の一側縁から鈍角に（図示の例では自由状態でおよそ１１０度だけ）折れ曲がる状態で設けられた腕板部９１とを有する。このうちの取付板部９０は、前記弁本体７５を構成する屋外側見付け壁７８の外面（屋外側面）の先端寄り部分に対し、１対の取付ボルト９２により固定されている。又、前記腕板部９１は、前記弁本体７５の先端側見込み壁８０との間に隙間を有する状態で、屋内側に向かって延出しており、その先端部に設けられた断面円弧形の凸湾曲部９３を、前記仕切り壁６２を構成する他方の側壁部６４ｂの屋外側面に対し幅方向への摺動可能に突き当てている。この為、本例の場合には、前記風量調整弁７４が前記開口部６６を閉じる際に、前記板ばね８９が邪魔になる事はない。又、この風量調整弁７４が屋内外方向に関して前記開口部６６に近づく程（開口部６６の開口量を小さくする程）、前記凸湾曲部９３は幅方向に関して前記開口部６６から遠い位置に移動し、前記板ばね８９の弾性変形量（取付板部９０と腕板部９１との開度）が大きくなる。この為、この板ばね８９は、前記風量調整弁７４が、前記開口部６６から遠い位置（開口量が大きい位置）に存在する場合には小さな弾力を付与し、この開口部６６に近づく程大きな弾力を付与する。従って、前記屋外側通風口２０から導入される風の強さ（風圧）が所定値に達するまでは、前記風量調整弁７４により前記開口部６６を閉じずに、流入する風量を次第に少なくしつつ、換気を続ける事ができる。
尚、本例の場合には、前記凸湾曲部９３を、前記他方の側壁部６４ｂの屋外側面に対し常に突き当てている。又、この他方の側壁部６４ｂの屋外側面には、摺動性や防音性を高める為の部材（例えば樹脂製の部材）を固定したり、表面処理等を施す事ができる。
【００３７】
又、本例の場合、室外空間９及び室内空間１０が無風状態である場合（換気が行われない場合）、及び、室外空間９に排気する場合には、前記板ばね８９の弾力により、前記風量調整弁７４を開弁方向の回動限界位置（図４の実線位置）に位置させる。そして、前記屋外側通風口２０から導入される風が強くなるに応じて、前記板ばね８９を構成する凸湾曲部９３を前記開口部６６から離れる方向に摺動させて、前記風量調整弁７４を閉弁方向に回動させる。特に本例の場合には、前記屋外側通風口２０から導入される風が所定の風速（設定値）以上の強風になった場合に、前記風量調整弁７４を閉弁方向の回動限界位置（図４の二点鎖線位置）に位置させる。つまり、前記屋内側見付け壁７７の屋内側面を、前記仕切り壁６２を構成する他方の側壁部６４ｂの屋外側面に当接させて、前記開口部６６を閉じる（換気を中断する）。
【００３８】
又、前記仕切り壁６２の屋内側面に対して、前記開口部６６を屋内側から塞ぐ状態で、通気性を有するフィルタ９４を取り付けている。このフィルタ９４は、前記開口部６６を通過する空気中に含まれる塵や埃、花粉等を捕集する為のもので、図１８に示す様に、フィルタ本体９５と、枠体９６と、取外紐９７とを備える。このうちのフィルタ本体９５は、ポリウレタンフォーム等の樹脂によりスポンジ状に造られており、その全体形状を前記開口部６６の形状に合わせて直方体状としている。又、前記枠体９６は、ポリ塩化ビニル（ＰＶＣ）等の合成樹脂製であり、前記フィルタ本体９５を抱持する断面略Ｃ字形の抱持部９８と、この抱持部９８の幅方向両側に設けられた、１対の係止部９９ａ、９９ｂとを有する。この抱持部９８は、前記フィルタ本体９５をがたつきなく収納可能な大きさを有しており、その幅寸法は前記開口部６６の幅寸法よりも僅かに小さい。又、前記両係止部９９ａ、９９ｂは、前記抱持部９８から幅方向両側に突出すると共に、その先端部が屋外側に直角に折れ曲がった形状（断面略Ｌ字形状）をしており、それぞれの先端縁部にく字形の返し部１００、１００が設けられている。又、前記取外紐９７は、布又はビニル製等で、前記抱持部９８の屋外側の面にその基端部が固定されている。
【００３９】
この様なフィルタ９４は、前記仕切り壁６２に設けられた１対の係合板部７０ａ、７０ｂを利用して、この仕切り壁６２に取り付けられている。具体的には、前記抱持部９８を前記両係合板部７０ａ、７０ｂ同士の間に挿入すると共に、前記抱持部９８と前記両係止部９９ａ、９９ｂとの間部分に、前記両係合板部７０ａ、７０ｂを挿入する。これにより、前記両係合板部７０ａ、７０ｂの先端部に設けられた突起６９、６９を前記返し部１００、１００よりも屋内側に移動させて、これら両突起６９、６９と返し部１００、１００とを係合させる。又、本例の場合には、前記取外紐９７の中間部を、片方の係合板部７０ａ（７０ｂ）及び係止部９９ａ（９９ｂ）の突起６９と返し部１００との係合部に挟み込んだ（巻き込ませた）状態で、前記取外紐９７の先端部を屋内側に引き出している。尚、この様に、前記フィルタ９４を前記仕切り壁６２に取り付けた状態で、このフィルタ９４の屋内側の側面を、前記パッキン６８の自由状態での屋内側端部よりも屋外側に位置させている。
【００４０】
以上の様な構成を有する本例の換気装置１ａにより、室内の換気を行う場合には、前記開閉扉５ａを前記ハンドル１１ａの操作により所定の角度（開度）だけ開ければ良い。これにより、室内空間１０と室外空間９とが、前記換気装置１ａを介して連通した状態となる為、室内空間１０への給気と、室外空間９への排気とをそれぞれ行う事が可能になる。
【００４１】
特に本例の場合には、前記開閉扉５ａの開度が不用意に変化する事を防止できると共に、開閉扉５ａの開度が必要以上に過大になる事を防止できる。
即ち、本例の場合には、前記スイングアーム２７の先端部に設けた係合ピン５６を、前記開閉扉５ａに設けた前記ストッパ部材２６のスライド溝４６内に、該開閉扉５ａの開度に応じた移動を可能に進入させている。又、該スライド溝４６を、前記不動側挟持腕部３２の屋内側辺と、該不動側挟持腕部３２に対し近づく方向に付勢された可動側挟持腕部３８の屋外側辺との間部分に形成し、且つ、前記スライド溝４６を構成する可動側挟持腕部３８の屋外側片に係合凹部４９を形成している。この為、前記図１２に示した様に、前記係合凹部４９を前記係合ピン５６（被挟持軸部５７）に対して付勢しつつ（テンションを加えつつ）係合させる事ができる。従って、前記開閉扉５ａの開度を一時的に維持する事が可能になり、前記開閉扉５ａの開度が不用意に変化する事を防止できる。しかも、本例の場合には、前記係合凹部４９の形成位置を適宜設定する事で、前記開閉扉５ａの開度維持位置を自由に設定する事ができる。
【００４２】
更に、本例の場合には、前記スライド溝４６の奥側端部を、前記不動側挟持片２８を構成する取付基部３１の端面（ストッパ面４７）により閉じた形状としている。この為、前記係合ピン５６を前記スライド溝４６の奥側端部を構成するストッパ面４７に突き当てる事で、前記開閉扉５ａがそれ以上開く事を防止できる。従って、前記開閉扉５ａの開度が必要以上に大きくなる事を防止できる。しかも、本例の場合には、前記ストッパ面４７の位置を適宜設定する事で、前記開閉扉５ａの開度限界位置を自由に設定する事ができる。
【００４３】
又、本例の場合には、前記ストッパ部材２６のうち、前記開閉扉５ａの開閉動作時にも変位しない前記不動側挟持腕部３２を、前記枠体３ａに近い屋外側に配置している為、前記開閉扉５ａを開く際に前記係合ピン５６から前記ストッパ部材２６に対して作用する屋外側に向いた力を、前記不動側挟持腕部３２により支承する事ができる。この為、この屋内側に向いた力に基づいて前記スライド溝４６が広がる事を防止でき、前記係合ピン５６と前記係合凹部４９とを効果的に係合させる事ができる。反対に、前記開閉扉５ａを閉じる際には、前記係合ピン５６により前記可動側挟持腕部３８を屋内側に押して前記スライド溝４６を広げる事ができる為、前記開閉扉５ａの閉鎖動作をスムーズに行わせる事ができる。
【００４４】
又、本例の場合には、前記可動側挟持腕部３８を前記不動側挟持腕部３２に対して遠近動させる構成を、前記可動側挟持片２９を、前記回動ピン４０回りに回動させる事により実現している為、前記ストッパ部材２６を、部品点数の少ない簡易な構成により実現する事ができる。
【００４５】
更に、本例の換気装置１ａの場合には、前記風量調整弁７４を、前記仕切り壁６２に対し回動可能に支持しており、この風量調整弁７４を風圧により回動させる構成を採用している為、前記風量調整弁７４の作動性を良好にする事ができる。しかも、前記風量調整弁７４を構成する軸部８２を、前記受具６５を構成する受凹部８６内に前記各摺動部材８８を介して挿入している為、前記風量調整弁７４の回動抵抗を小さく抑えられ、この風量調整弁７４の作動性をより一層向上させる事が可能になる。これにより、本例の場合には、室外空間９で吹く風が弱い場合には、前記風量調整弁７４を前記開口部６６から遠い位置に位置させて、この開口部６６を通過する風量を多く確保し、室外空間９で吹く風が強い場合には、前記風量調整弁７４を前記開口部６６から近い位置に位置させて、この開口部６６を通過する風量を少なくする事ができる。従って、本例の風量調整弁７４によれば、室内空間１０に流入する風量の調整機能を十分に発揮する事が可能になる。
【００４６】
又、前記板ばね８９の基部である取付板部９０を、前記風量調整弁７４を構成する屋外側見付け壁７８の外面（屋外側面）に固定すると共に、前記腕板部９１の凸湾曲部９３を、前記他方の側壁部６４ｂの屋外側面に突き当てる様に構成している。これにより、この風量調整弁７４が閉弁方向に回動する際に、この風量調整弁７４と前記仕切り壁６２との間に前記板ばね８９が挟持されない様にし、この風量調整弁７４を構成する屋内側見付け壁７７の屋内側面を、前記仕切り壁６２を構成する他方の側壁部６４ｂの屋外側面に対して当接可能としている。つまり、この風量調整弁７４が前記開口部６６を閉じる際に、前記板ばね８９が邪魔にならずに済む。従って、強風時には前記風量調整弁７４により前記開口部６６を閉じて換気を一時的に中断する事ができ、風が弱まれば、前記板ばね８９の弾力に基づき、前記風量調整弁７４を押し戻して、直ちに換気を再開させる事が可能になる。又、強風時に、換気を自動的に中断できる為、換気を中断する為の作業が不要になると共に、居住者等に強風による恐怖感を与えずに済む。
【００４７】
又、本例の場合には、前記風量調整弁７４を前記受具６５から取り外さずに、この風量調整弁７４をこの受具６５ごと、前記換気装置１ａから屋内側に取り外す事が可能になる。より具体的には、前記フィルタ９４を前記仕切り壁６２から取り外した後、矩形枠状の前記パッキン６８のうち、前記取付ボルト９２と整合する部分のみを前記条溝６７ｃから取り外す。そして、この取付ボルト８７を外す事により、前記風量調整弁７４を前記受具６５と一体の状態で、ケンドン式に取り外す事ができる。この為、この風量調整弁７４のメンテナンス性を向上する事ができる。又、前記フィルタ９４を、前記取外紐９７を屋内側から引っ張る事で取り外す事ができる。この為、前記風量調整弁７４を取り外す際の作業性を向上できると共に、このフィルタ９４自体のメンテナンス性の向上を図れる。
【００４８】
更に、前記屋外側通風口２０を上下方向に広く確保できる為、室内空間１０の温度が高くなり易いこの屋外側通風口２０の上部では排気を行い、室内空間１０の温度が低くなり易いこの屋外側通風口２０の下部では給気を行わせる事ができる。又、前記屋外側通風口２０を、前記外板カバー１８と前記他方の縦枠１６ａとの間部分により構成している為、この屋外側通風口を別途加工する場合に比べて、加工作業を省略できる為、加工コストの低減を図れる。又、清掃作業の作業効率を向上する事も可能になる。
【００４９】
［変形例］
図１９〜２０は、上述した実施の形態に関する変形例を示している。本例の場合には、板ばね８９ａの形状及び取付位置を、前記実施の形態の１例の場合とは変更している。その他の部分の構成及び作用効果に就いては、この１例の場合と同じである為、重複する説明及び図示は省略し、以下、本例の特徴部分を中心に説明する。
【００５０】
前記板ばね８９ａは、断面略Ｊ字形で、取付板部９０ａと、この取付板部９０ａの一側縁から鈍角に（図示の例では自由状態でおよそ１６０度だけ）折れ曲がる状態で設けられた腕板部９１ａとを有する。このうちの取付板部９０ａは、弁本体７５を構成する先端側見込み壁８０の外面に対し、１対の取付ボルト９２ａにより固定されている。又、前記腕板部９１ａは、前記弁本体７５の屋内側見付け壁７７から離れる方向、且つ、屋内側に向かって延出しており、その先端部に設けられた断面円弧形の凸湾曲部９３ａを、仕切り壁６２を構成する他方の側壁部６４ｂの屋外側面に対し幅方向への摺動可能に突き当てている。
【００５１】
以上の様な構成を有する本例の場合にも、風量調整弁７４を構成する屋内側見付け壁７７の外面（屋内側面）が、前記仕切り壁６２を構成する他方の側壁部６４ｂの屋外側面に当接可能となる。この為、強風時には前記風量調整弁７４により開口部６６を閉じて換気を一時的に中断する事ができ、風が弱まれば、前記板ばね８９ａの弾力に基づき、前記風量調整弁７４を押し戻して、直ちに換気を再開させる事が可能になる。又、本例の場合には、外板カバー１８を一方の縦枠１６ｂと一体的に設ける事で、部品点数の低減によるコスト低減を図っている。
その他の構成及び作用効果に就いては、前記実施の形態の１例の場合と同様である。
【産業上の利用可能性】
【００５２】
上述した実施の形態では、換気装置を窓装置と一体として設けた例を示したが、本発明の換気装置は、単独で設ける事ができる。又、窓装置と一体として設ける場合に、この窓装置の種類は問わない（引違式や開き窓、連窓等、各種構造を採用できる）。又、前記実施の形態では、ストッパ部材を構成する１対の挟持片のうち、一方の挟持片のみを移動可能としたが、両方の挟持片を移動可能とする事もできる。又、移動可能な挟持片の移動態様としては、回動に限らず平行移動も採用する事ができる。
【符号の説明】
【００５３】
１、１ａ  換気装置
２、２ａ  窓装置
３、３ａ  枠体
４    羽部材
５、５ａ  開閉扉
６    通路
７    軸部
８    羽根
９    室外空間
１０、１０ａ  室内空間
１１、１１ａ  ハンドル
１２    ガラス
１３    窓枠
１４    上枠
１５    下枠
１６ａ、１６ｂ  縦枠
１７    内側空間
１８    外板カバー
１９    ボルト
２０    屋外側通風口
２１    屋内側開口
２２    ロックピン
２３    ピン受部
２４    パッキン
２５    開度調節装置
２６    ストッパ部材
２７    スイングアーム
２８    不動側挟持片
２９    可動側挟持片
３０    上側キャップ部材
３１    取付基部
３２    不動側挟持腕部
３３    取付孔
３４    支持孔
３５    係合孔
３６    ボルト
３７    回動基板部
３８    可動側挟持腕部
３９    回動中心孔
４０    回動ピン
４１    ナット
４２    付勢ばね
４３    コイル部
４４ａ、４４ｂ  腕部
４５    係止凹部
４６    スライド溝
４７    ストッパ面
４８    ガイド傾斜部
４９    係合凹部
５０    アーム本体
５１ａ、５１ｂ  支持環部
５２    取付ブラケット
５３    ボルト
５４    張出板部
５５    枢支ピン
５６    係合ピン
５７    被挟持軸部
５８ａ、５８ｂ  ガイド部
５９    凹溝
６０    屋外側空間
６１    屋内側空間
６２    仕切り壁
６３    垂下壁部
６４ａ、６４ｂ  側壁部
６５    受具
６６    開口部
６７ａ〜６７ｃ  条溝
６８    パッキン
６９    突起
７０ａ、７０ｂ  係合板部
７１    導風部材
７２    湾曲面部
７３    ボルト
７４    風量調整弁
７５    弁本体
７６    回動基部
７７    屋内側見付け壁
７８    屋外側見付け壁
７９    基端側見込み壁
８０    先端側見込み壁
８１    張出板部
８２    軸部
８３    基板部
８４    突き当て板部
８５    受部本体
８６    受凹部
８７    取付ボルト
８８    摺動部材
８９、８９ａ  板ばね
９０、９０ａ  取付板部
９１、９１ａ  腕板部
９２、９２ａ  取付ボルト
９３、９３ａ  凸湾曲部
９４    フィルタ
９５    フィルタ本体
９６    枠体
９７    取外紐
９８    抱持部
９９ａ、９９ｂ  係止部
１００    返し部
【図１】
0006645802.tif 000002
【図２】
0006645802.tif 000003
【図３】
0006645802.tif 000004
【図４】
0006645802.tif 000005
【図５】
0006645802.tif 000006
【図６】
0006645802.tif 000007
【図７】
0006645802.tif 000008
【図８】
0006645802.tif 000009
【図９】
0006645802.tif 000010
【図１０】
0006645802.tif 000011
【図１１】
0006645802.tif 000012
【図１２】
0006645802.tif 000013
【図１３】
0006645802.tif 000014
【図１４】
0006645802.tif 000015
【図１５】
0006645802.tif 000016
【図１６】
0006645802.tif 000017
【図１７】
0006645802.tif 000018
【図１８】
0006645802.tif 000019
【図１９】
0006645802.tif 000020
【図２０】
0006645802.tif 000021
【図２１】
0006645802.tif 000022